(57)【要約】【課題】低背化を維持したまま、両側面を両側から摘む操作で相手コネクタとの係合の解除とスイッチの作動との双方が行なわれるコネクタを提供する。【解決手段】このコネクタ１は、基体１０と、ラッアーム２０と、リーフスイッチ３０とを有する。基体１０は、ハウジング１１と回路基板１２とを含む。ラッチアーム２０は、基体１０の側端面に沿って嵌合方向に延び相手コネクタに係止する。そしてこのラッチアーム２０は、このコネクタ１の両側を摘む操作で係止が解除される。リーフスイッチ３０は、２つのリーフコンタクト３１，３２を有する。これら２つのリーフコンタクト３１，３２は、基体２０の側端面とラッチアーム２０とに挟まれた位置に設けられ、ラッチアーム２０の係止解除の動きによりラッチアーム２０に押されて互いに接触する。【選択図】図２
2015216035.tif 000002
【特許請求の範囲】
【請求項１】
ハウジングと該ハウジングに支持された回路基板とを含む略板形状の基体と、
前記基体の、嵌合方向に延びる少なくとも一方の側端面に沿って延びて相手コネクタに係止し両側端面を両側から挟むように摘む操作で係止が解除されるラッチアームと、
前記側端面と前記ラッチアームとに挟まれた位置に双方が設けられて双方が片持ち梁形状を有し、該ラッチアームの係止解除の動きにより該ラッチアームに押されて互いに接触する２つの接片を有するスイッチとを備えたことを特徴とするコネクタ。
【請求項２】
前記ラッチアームが、前記基体の嵌合方向後方の端面から後向きに延び折り返されて前記側端面に沿って嵌合方向前方に延びるばね部と、該ばね部の先端から折れ曲がって該側端面に向かう折曲げ部と、該折曲げ部から嵌合方向前方に延び先端に相手コネクタに係止するフックが形成されたラッチ部とを有し、
前記２つの接片が、前記側端面と前記ラッチアームの前記ばね部とに挟まれた位置に設けられていることを特徴とする請求項１記載のコネクタ。
【請求項３】
前記ラッチアームが、前記側端面から離れる外向きに前記ばね部から突き出た突出部を有し、
前記突出部を貫通させる開口を有し、前記基体、前記スイッチ、および前記ラッチアームを覆う金属シェルと、
嵌合方向について前記突出部よりも後方に前記操作が行われる操作部を有し、前記金属シェルを取り囲むカバー部材と、
前記カバー部材の内側に配置され、前記突出部よりも嵌合方向前方において該カバー部材に支持されて嵌合方向後方に向かって前記突出部に対向する位置を経由して前記操作部に対向する位置まで片持ち梁形状に延び、前記操作が行われた前記操作部の変形により押されて前記突出部を押すことにより、前記ラッチアームに相手コネクタとの係止の解除の動きを与える操作伝達アームとをさらに備えたことを特徴とする請求項１又は２記載のコネクタ。
【発明の詳細な説明】
【技術分野】
【０００１】
本発明は、相手コネクタからの取外しの操作により、相手コネクタとの係止が解除されるとともにスイッチが切り換えられるコネクタに関する。
【背景技術】
【０００２】
特許文献１には、面スイッチを配置し、ボタン部の押圧により、面スイッチが操作されるとともに相手コネクタとの係合が解除されるコネクタが開示されている。このコネクタによれば、相手コネクタからの抜き取りの操作がなされたことが検知されるため、不用意に抜かれることによるデータ破損等の事故が防止される。
【先行技術文献】
【特許文献】
【０００３】
【特許文献１】特開２００３−２４９３０７号公報
【発明の概要】
【発明が解決しようとする課題】
【０００４】
コネクタの中には、規格等により、低背化を旨とし、両側面を両側から摘むことにより相手コネクタとの係合が解除されるタイプのコネクタが存在する。
【０００５】
上掲の特許文献１に開示されているコネクタには面スイッチが使われている。この面スイッチを両側面を摘むことにより相手コネクタとの係合が解除されるタイプのコネクタに適用し、低背化を維持したまま両側面を摘む操作でその面スイッチを作動させる構造を実現するのは困難である。
【０００６】
本発明は、上記事情に鑑み、低背化を維持したまま、両側面を両側から摘む操作で、相手コネクタとの係合の解除とスイッチの作動との双方が行なわれるコネクタを提供することを目的とする。
【課題を解決するための手段】
【０００７】
上記目的を達成する本発明のコネクタは、
ハウジングとそのハウジングに支持された回路基板とを含む略板形状の基体と、
基体の、嵌合方向に延びる少なくとも一方の側端面に沿って延びて相手コネクタに係止し両側端面を両側から挟むように摘む操作で係止が解除されるラッチアームと、
基体の側端面とラッチアームとに挟まれた位置に双方が設けられて双方が片持ち梁形状を有し、ラッチアームの係止解除の動きによりラッチアームに押されて互いに接触する２つの接片を有するスイッチとを備えたことを特徴とする。
【０００８】
本発明のコネクタは、側端面とラッチアームとに挟まれた位置に、リーフ状のコンタクト対を持ったいわゆるリーフスイッチ、すなわち片持ち梁形状の２つの接片を有するスイッチを備えている。このため、本発明のコネクタによれば、低背化を維持しつつ、両側面を両側から挟むように摘む操作で、相手コネクタとの係合の解除とスイッチ作動との双方が行なわれる。
【０００９】
ここで、本発明のコネクタにおいて、上記ラッチアームが、基体の嵌合方向後方の端面から後向きに延び折り返されて側端面に沿って嵌合方向前方に延びるばね部と、ばね部の先端から折れ曲がって側端面に向かう折曲げ部と、折曲げ部から嵌合方向前方に延び先端に相手コネクタに係止するフックが形成されたラッチ部とを有し、上記２つの接片が、基体の側端面とラッチアームのばね部とに挟まれた位置に設けられていることが好ましい。
【００１０】
ラッチアームのばね部には弾性変形のための空間が必要である。基体の側端面とラッチアームのばね部とに挟まれた、ばね部の弾性変形のために必要となる空間を利用して、その空間に上記の２つの接片を設ける。こうすることにより、スイッチを設けたことによる大型化が回避される。
【００１１】
さらに、本発明のコネクタにおいて、
上記ラッチアームが、側端面から離れる外向きにばね部から突き出た突出部を有し、
突出部を貫通させる開口を有し、基体、スイッチ、およびラッチアームを覆う金属シェルと、
嵌合方向について上記突出部よりも後方に上記操作が行われる操作部を有し、金属シェルを取り囲むカバー部材と、
カバー部材の内側に配置され、突出部よりも嵌合方向前方においてカバー部材に支持されて、嵌合方向後方に向かって上記突出部に対向する位置を経由して上記操作部に対向する位置まで片持ち梁形状に延び、上記操作が行われた操作部の変形により押されて突出部を押すことにより、ラッチアームに相手コネクタとの係止の解除の動きを与える操作伝達アームとをさらに備えることが好ましい。
【００１２】
この構造を採用すると、カバー部材の操作受け部とラッチアーム突起部とを嵌合方向に互いに異なる位置に設けることができる。これにより、操作受け部を操作し易い位置に設け、操作性にさらに優れたコネクタが実現する。
【発明の効果】
【００１３】
以上の本発明によれば、低背化を維持したまま、両側面を両側から摘む操作で、相手コネクタとの係合の解除とスイッチの作動との双方が行なわれるコネクタが実現する。
【図面の簡単な説明】
【００１４】
【図１】本発明の一実施形態としてのコネクタの外観斜視図である。
【図２】図１に外観を示すコネクタの分解斜視図である。
【図３】図１，図２に示すコネクタを裏返しにし、上下の幅の中央を通る平面で断面してコネクタの内部構造を示した拡大斜視図である。
【図４】図３と同じ状態のコネクタの内部構造を示した拡大平面図である。
【発明を実施するための形態】
【００１５】
以下、本発明の実施の形態を説明する。
【００１６】
図１は、本発明の一実施形態としてのコネクタの外観斜視図である。
【００１７】
また、図２は、図１に外観を示すコネクタの分解斜視図である。ただし、この図２では、シェル５０のうちの下シェル５０Ｂおよび前シェル５０Ｃと、カバー部材６０のうちの下カバー６０Ｂについては、組み立てられた状態のまま示してある。
【００１８】
また、図３および図４は、図１，図２に示すコネクタを裏返しにし、上下の幅の中央を通る平面で断面してコネクタの内部構造を示した、それぞれ拡大斜視図および拡大平面図である。
【００１９】
このコネクタ１は、図２〜図４に示すように、基体１０を備えている。この基体１０は、ハウジング１１と回路基板１２とを備えており、全体として略板形状に形成されている。回路基板１２には、電線ケーブル２が接続されている。また、この回路基板１２の、図１，図２に矢印ｘで示す嵌合方向前端部には、図３，図４に示すように、相手コネクタのコンタクトに接続される多数のコンタクト１２１が形成されている。回路基板１２の前端部は、シェル５０のうちの前シェル５０Ｃ（図２参照）で囲われている。
【００２０】
また、このコネクタ１には、一対のラッチアーム２０が備えられている。これらのラッチアーム２０は、略板形状の基体１０の左右の側端面にそれぞれ沿うように配置される。このラッチアーム２０は、図３，図４に示すように、圧入部２１と、ばね部２２と、折曲げ部２３と、ラッチ部２４と、突出部２５とを有する。圧入部２１は、基体１０を構成しているハウジング１１に圧入される部分である。また、ばね部２２は、そのハウジング１１から嵌合方向（矢印ｘ方向）後方の端面から後向きに延び、折り返されて基体１０の側端面に沿って嵌合方向（矢印ｘ方向）前方に延びた形状を有する。このばね部２２は、このコネクタ１０を両側から挟むようにして摘むと、基体１０の側端面に近づく向きに弾性変形する。さらに、折曲げ部２３は、ばね部２２の先端側から折れ曲がって基体１０の側端面に向かって延びる。さらに、ラッチ部２４は、その折曲げ部２３から嵌合方向（矢印ｘ方向）前方に延びている。このラッチ部２４の先端には、相手コネクタ（不図示）に係止するフック２４１が形成されている。さらに、突出部２５は、後述するシェル５０の開口５１からシェル５０の外側に突出し、操作により力を受けてばね部２２を弾性変形させる部分である。このラッチアーム２０は、このコネクタ１の両側端面を挟むようにして摘む操作で突出部２５が押されてばね部２２が撓み、相手コネクタに係止していたフック２４１の係止が解除される。
【００２１】
また、このコネクタ１は、それぞれが２つのリーフコンタクト３１，３２からなる２つのリーフスイッチ３０を備えている。これら２つのリーフスイッチ３０のそれぞれを構成する各２つのリーフコンタクト３１，３２は、それぞれ回路基板１２に半田接続される基板接続部３１１，３２１を有する。これら２つのリーフコンタクト３１，３２の基板接続部３１１，３２１の一方は回路基板１２の表面、もう一方は回路基板１２の裏面に半田付けされる。また、各２つのリーフコンタクト３１，３２は、その基板接続部３１１，３２１から延びる片持ち梁形状の接片３１２，３２２を有する。そして、これら２つの接片３１２，３２２が、ラッチアーム２０のばね部２２と基体１０の側端面１０ａとに挟まれた位置に、幅方向に互いに重なるように配置される。これら２つの接片３１２，３２２は、ラッチアーム２０の係止解除の動きにより、そのラッチアーム２０のばね部２２に押されて互いに接触する。これにより、ラッチアーム２０が押されたこと、すなわちラッチアーム２０のフック２４１による係止が解除されたことが、回路基板１２を介してこのコネクタ１が接続されている機器に認識される。
【００２２】
さらに、このコネクタ１は、一対の操作伝達アーム４０を備えている。これらの操作伝達アーム４０は、矢印ｘで示す嵌合方向前方の端部にカバー部材６０に支持される支持部４１を有する。そして、これらの操作伝達アーム４０は、支持部４１がカバー部材６０に支持されて、その支持部４１から片持ち梁形状に嵌合方向後方に延びている。これらの操作伝達アーム４０は、金属シェル５０の側面とカバー部材６０の側面との間に配置される。これら操作伝達アーム４０の作用については、金属シェル５０およびカバー部材６０について説明した後に説明する。
【００２３】
金属シェル５０は、上シェル５０Ａと、下シェル５０Ｂと、前シェル５０Ｃとを有する。図２には、下シェル５０Ｂと前シェル５０Ｃは基体１０に組み立てられた状態で示されている。前シェル５０Ｃは、基体１０を構成する回路基板１２の前端部を取り巻いている。この前端部には、図３，図４に示すように相手コネクタとのコンタクトを接続される多数のコンタクト１２１が設けられている。この前シェル５０Ｃは、シールドのほか、相手コネクタとの嵌合を担っている。上シェル５０Ａと下シェル５０Ｂは、共同して、回路基板１２の前端部を除く部分を覆っている。これにより、前シェル５０Ｃと合わせて回路基板１２の全体がシールドされている。この金属シェル５０は、その内側に、回路基板１２のほか、その回路基板１２を支持するハウジング１１、回路基板１２に半田付けされたリーフスイッチ３０、ハウジング１１に圧入されたラッチアーム２０を包み込んでいる。ただし、ラッチアーム２０の先端のフック２４１と、ラッチアーム２０の突出部２５は、金属シェル５０に設けられている開口から外に突出している。すなわち、ラッチアーム２０の嵌合方向前端のフック２４１は、前シェル５０Ｃに設けられている開口５１から前シェル５０Ｃの外側に突出している。これにより、相手コネクタへの係止を可能としている。このコネクタ１を相手コネクタに嵌合させると、その嵌合の途中で、ラッチアーム２０の、前シェル５０Ｃの開口５１から突出しているフック２４１が相手コネクタに押されて開口５１から内部に引っ込む。そこでこのフック２４１は、嵌合完了により弾性的に復帰し、再び突出して相手コネクタに係止する。
【００２４】
また、上シェル５０Ａ，下シェル５０Ｂには、それぞれ切欠き５２Ａ，５２Ｂが形成されている。これら上シェル５０Ａと下シェル５０Ｂを組み合わせると、それらの切欠き５２Ａ，５２Ｂの組合せにより、その金属シェル５０の内外に貫通してラッチアーム２０の突出部２５を突出させる開口５２が形成される。
【００２５】
また、この上シェル５０Ａには、電線２を把持する電線把持部５３が設けられている。
【００２６】
さらに、このコネクタ１は、カバー部材６０を備えている。このカバー部材６０は上カバー６０Ａと下カバー６０Ｂとを有し、それら上カバー６０Ａと下カバー６０Ｂとで共同して、金属シェル５０を取り囲んでいる。具体的には、上カバー６０Ａと下カバー６０Ｂが上シェル５０Ａと下シェル５０Ｂを覆って、前シェル５０Ｃを突き出させている。このカバー部材６０には、その両側に操作部６１がそれぞれ設けられている。これらの操作部６１は、このコネクタ１を両側から挟むように摘んで操作部６１を両側から押すと、それぞれ内側に押し込まれる。
【００２７】
上述の通り、操作伝達アーム４０は、金属シェル５０とカバー部材６０とに挟まれた位置に配置されている。その操作部材４０は、嵌合方向前端側に支持部４１が設けられていて、その支持部４１がカバー部材６０に支持され、嵌合方向後方に片持ち梁形状に延びている。この操作伝達アーム４０は、嵌合方向後方にラッチアーム２０の突出部２５に対向する位置を経由してカバー部材６０の操作部６１に対向する位置まで延びている。そして、この操作伝達アーム４０は、カバー部材６０の操作部６１が押されるとそのカバー部材６０に押されて傾き、ラッチアーム２０の突出部２５を押す。すると、ラッチアーム２０のばね部２２が変形し、前シェル５０Ｃの開口５１から突出しているフック２４１が前シェル５０Ｃの内側に入り込む。これにより、相手コネクタへの係止が解除される。カバー部材６０の操作部６１から指を離すと、ラッチアーム２０のばね部２２が元の形状に復帰し、ラッチアーム２０のフック２４１が前シェル５０Ｃの開口５１から突出した状態となる。
【００２８】
ここで、カバー部材６０の操作部６１は、操作の便宜のために、嵌合方向後方の位置に設けられている。これに対しその操作部６１の操作の伝達を受けるラッチアーム２０の突出部２５は、ラッチアーム２０のばね部２２の変形に都合のよい、その操作部６１よりも嵌合方向前方に位置している。この操作伝達アーム４０は、その操作部６１の操作を嵌合方向について異なる位置にある突出部２５に伝達する役割を担っている。操作伝達アーム４０を備えたことにより、カバー部材６０の、操作のし易い位置に操作部６１を備えることを可能としている。
【００２９】
本実施形態のコネクタ１によれば、リーフスイッチ３０を備えたため、低背化を維持したまま両側から挟むようにして摘む操作でラッチの解除とスイッチの作動との双方を実現している。
【００３０】
尚、本実施形態では、リーフスイッチ３０が両側に配置されているが、リーフスイッチ３０は一方にのみ配置されていてもよい。
【００３１】
また、本実施形態では、カバー部材６０の操作部６１とラッチアーム２０の突出部２５から嵌合方向について異なる位置にあるため、操作伝達アーム４０を備えている。それら操作部６１と突出部２５を嵌合方向について同一の位置に配置したときに操作伝達アーム４０は必ずしも必要ではない。
【符号の説明】
【００３２】
１    コネクタ
１０    基体
１０ａ    側端面
１１    ハウジング
１２    回路基板
２０    ラッチアーム
２１    圧入部
２２    ばね部
２３    折曲げ部
２４    ラッチ部
２５    突出部
３０    リーフスイッチ
３１，３２    リーフコンタクト
４０    操作伝達アーム
５０    シェル、金属シェル
５０Ａ    上シェル
５０Ｂ    下シェル
５０Ｃ    前シェル
５１，５２    開口
６０    カバー部材
６０Ａ    上カバー
６０Ｂ    下カバー
６１    操作部
１２１    コンタクト
２４１    フック
３１１，３２１    基板接続部
３１２，３２２    接片
【図１】
2015216035.tif 000003
【図２】
2015216035.tif 000004
【図３】
2015216035.tif 000005
【図４】
2015216035.tif 000006